(57)【要約】【課題】  リスニング体勢によらず最適な音場特性の調整を可能とし、音場処理効果を視覚的に確認しながら調整する。【解決手段】  音場調整用のリファレンス音声を複数のスピーカ１１〜１５に出力させるためのリファレンス音声信号を上記複数のスピーカ１１〜１５に供給するリファレンス音声信号供給部２１と、上記リファレンス音声に対応したリファレンス画像を表示手段１６に出力させるためのリファレンス画像信号を上記表示手段１６に供給するリファレンス画像信号供給部２２と、上記リファレンス画像を受聴位置で受聴した上記リファレンス音声に合わせて修正する操作部２３と、上記操作部２３により修正されたリファレンス画像の修正量に基づいて、各スピーカ１１〜１５に与えるディレイ補正値及びゲイン補正値を算出する制御部２７とを備える。【選択図】  図１
2007173984.tif 000002
【特許請求の範囲】
【請求項１】
音場調整用のリファレンス音声を複数のスピーカに出力させるためのリファレンス音声信号を上記複数のスピーカに供給するリファレンス音声信号供給部と、
上記リファレンス音声に対応したリファレンス画像を表示手段に出力させるためのリファレンス画像信号を上記表示手段に供給するリファレンス画像信号供給部と、
上記リファレンス画像を受聴位置で受聴した上記リファレンス音声に合わせて修正する操作部と、
上記操作部により修正されたリファレンス画像の修正量に基づいて、各スピーカに与えるディレイ補正値及びゲイン補正値を算出する制御部とを備える音場補正装置。
【発明の詳細な説明】
【技術分野】
【０００１】
本発明は、複数のスピーカを備えたオーディオシステムの音場特性を所望の音場特性となるように補正するための音場補正装置に関する。
【背景技術】
【０００２】
複数のスピーカを備えた高品位の音場空間を提供するオーディオシステムとして、複数のフロントスピーカ、及び複数のリアスピーカを用いた、サラウンド方式のものがある。
【０００３】
このようなサラウンド方式の音場を最適なものに設定するためには、ユーザ自身が受聴する受聴位置を基準にして、複数のスピーカを適正な位置に配置する必要がある。
【０００４】
しかし、一般的には、このようなサラウンド方式の音響装置を配置する室内環境には、様々な要因があり、各スピーカの配置が制限されている。また、ユーザが各スピーカの最高の配置を調整するのは困難であった。
【０００５】
そこで、スピーカを配置した後に、受聴位置と各スピーカの位置との関係により、音圧レベル設定、音声到達時間の設定を調整する必要、すなわち、音場補正の必要がある。
【０００６】
従来の音場補正を行うための音場補正装置では、個々のスピーカから再生されるリファレンス信号を、専用のマイクロホン等の収音器で収音して、収音器で得られるデータを基に個々のスピーカの周波数特性、位相特性、音圧レベル、ディレイ等を調整して最適な音場を提供していた。
【０００７】
しかし、実際にユーザが受聴する受聴位置（リスニングポジション）を想定して設置した収音器の位置で最適な音場が生成されても、ユーザは、この音場補正効果が最適であることを確認することが困難であり、また、収音器が設置困難な受聴位置である場合には、最適な音場補正も困難であり、さらに、ユーザのリスニング体勢に合わせた最適な音場補正を行うことも困難であった。
【０００８】
また、従来の音場補正装置では、音場を測定するための測定用の専用マイクが必要となり、この専用マイク用のマイク接続端子、マイクアンプ等が必要となり、さらに、機器本体との電気的な特性の合わせ込みが必要となっていた。
【０００９】
【特許文献１】特許２７２３００１号公報
【発明の開示】
【発明が解決しようとする課題】
【００１０】
本発明の目的は、所望の音場を得るための測定用の専用マイク等を設けることなく、ユーザのリスニング体勢によらず最適な音場特性の調整を可能とし、音場処理効果を視覚的に確認しながら調整することを可能とする音場補正装置を提供することにある。
【課題を解決するための手段】
【００１１】
この目的を達成するため、本発明に係る音場補正装置は、音場調整用のリファレンス音声を複数のスピーカに出力させるためのリファレンス音声信号を上記複数のスピーカに供給するリファレンス音声信号供給部と、上記リファレンス音声に対応したリファレンス画像を表示手段に出力させるためのリファレンス画像信号を上記表示手段に供給するリファレンス画像信号供給部と、上記リファレンス画像を受聴位置で受聴した上記リファレンス音声に合わせて修正する操作部と、上記操作部により修正されたリファレンス画像の修正量に基づいて、各スピーカに与えるディレイ補正値及びゲイン補正値を算出する制御部とを備える。
【発明の効果】
【００１２】
本発明は、所望の音場を得るための測定用の専用マイク等を設けることなく、ユーザのリスニング体勢によらず最適な音場調整を可能とし、音場処理効果を視覚的に確認しながら調整することを可能とする。
【発明を実施するための最良の形態】
【００１３】
以下、本発明を適用した音場補正装置について、図面を参照して説明する。
【００１４】
本発明が適用された音場補正装置１は、図１に示すように、音場調整用のリファレンス音声を室内環境９の任意の位置に配置された複数のスピーカ１１〜１５に出力させるためのリファレンス音声信号を複数のスピーカに供給するとともに、このリファレンス音声に対応したリファレンス画像を画像表示手段１６に出力させるためのリファレンス画像信号を画像表示手段１６に供給し、この複数のスピーカにより出力されたリファレンス音声を所定位置、すなわち任意の受聴位置でユーザ８が受聴してこのリファレンス音声に合わせてリファレンス画像を操作部２３により修正する際の修正情報を受信することにより、音場特性を補正するものである。
【００１５】
複数のスピーカ１１〜１５は、室内の所定の位置に任意に配置されている。この複数のスピーカ１１〜１５は、通常のオーディオ再生用のスピーカであり、一般的にホームシアター等で使用されるマルチチャンネルスピーカ出力を持つオーディオ信号処理部１０に接続されている。
【００１６】
オーディオ信号処理部１０は、Ｌｃｈ（左），Ｒｃｈ（右），Ｃｃｈ（センター），ＳＬｃｈ（リア左），ＳＲｃｈ（リア右）の各ｃｈごとにディレイ処理、ゲイン処理等の信号処理を施した信号を各スピーカ１１〜１５に出力する。
【００１７】
音場補正装置１は、図１に示すように、音場補正用のリファレンス音声を複数のスピーカ１１〜１５に出力させるためのリファレンス音声信号を複数のスピーカに供給するリファレンス音声信号供給部２１と、このリファレンス音声に対応して連動したリファレンス画像を画像表示手段１６に出力させるためのリファレンス画像信号を画像表示手段１６に供給するリファレンス画像信号供給部２２と、複数のスピーカ１１〜１５から出力され、受聴位置でユーザ８が実際に受聴したリファレンス音声に合わせて画像表示手段１６で表示されたリファレンス画像を修正する操作部２３と、この操作部２３で入力されたリファレンス画像の修正情報を受信する受信部２４とを備える。
【００１８】
リファレンス音声信号供給部２１は、リファレンス音声信号をオーディオ信号処理部１０を介して複数のスピーカに供給することで、音場調整用の基準となるリファレンス音声を各スピーカ１１〜１５から出力させる。
【００１９】
リファレンス画像信号供給部２２は、リファレンス画像信号を供給することで、リファレンス音声に対応したリファレンス画像を画像表示手段１６に表示させるとともに、操作部２３により修正情報が入力された場合には、受信部２４を介してこの情報を受け取り、リファレンス画像及び入力された修正画像を画像表示手段１６に表示させる。
【００２０】
操作部２３は、ユーザ８が室内環境９で持ち運び可能で任意の位置でリファレンス画像を修正する情報を入力できるような携帯機器であり、例えば、無線通信により情報を転送できるリモートコントローラのような入力装置である。ユーザ８は、受聴位置（リスニングポイント）での音場の最適化を行うため、この操作部２３により最適とする音像の制御をマニュアルで行う。尚、操作部２３は、画像表示手段１６に表示された画像を容易に修正できるように、方向キーを備えたボタン式リモートコントローラとしたが、これに限られるものではなく、スティック式のコントローラやペンタブレット式のものでもよい。また、ここでは、無線通信によりユーザの入力情報を受信部２４に転送する構成としたが、これに限られるものではなく、例えば、ＵＳＢケーブル、オーディオケーブル等を介して有線通信により入力情報を受信部２４に転送するように構成してもよい。
【００２１】
画像表示手段１６は、例えば、図２に示すように、リファレンス画像信号供給部２２により供給されたリファレンス画像信号により、軌跡Ｋ１を描いて移動する移動物体が表示される。そして、操作部２３は、リファレンス音声信号供給部２１から供給されたリファレンス音声を受聴位置で受聴することによる音像の動きＫ２と比較してこの軌跡Ｋ１を画像表示手段１６の第１乃至第３の区画ＢＡ，ＢＢ，ＢＣの各区画ごとに補正することで修正情報を入力して受信部２４に転送する。
【００２２】
受信部２４は、操作部２３で入力されたリファレンス画像の修正情報を受信して、リファレンス画像供給部２２にその情報を転送することで、リファレンス画像の修正された画像を表示させるとともに、後述するディレイ補正値算出部２５及びゲイン補正値算出部２６にその修正された画像の調整量の情報を転送する。
【００２３】
また、音場補正装置１は、操作部２３により修正された画像の調整量に基づいて、各スピーカ１１〜１５に与えるディレイ補正値を算出するディレイ補正値算出部２５と、操作部２３により修正された画像の調整量に基づいて、各スピーカ１１〜１５に与えるゲイン補正値を算出するゲイン補正値算出部２６とからなる制御部２７と、操作部２３により修正される画像の様々な調整量に対応した各スピーカ１１〜１５に与えるディレイ補正値及びゲイン補正値を記憶するメモリ２８とを備える。
【００２４】
制御部２７のディレイ補正値算出部２５は、受信部２４から操作部２３により修正された画像の調整量からなる修正情報と、最初にリファレンス画像信号供給部２２から画像表示手段１６に供給されたリファレンス画像信号とに基づいて、各スピーカに与えるディレイ補正値を算出する。
【００２５】
制御部２７のゲイン補正値算出部２６は、受信部２４から操作部２３により修正された画像の調整量からなる修正情報と、最初にリファレンス画像信号供給部２２から画像表示手段１６に供給されたリファレンス画像信号とに基づいて、各スピーカに与えるゲイン補正値を算出する。
【００２６】
すなわち、制御部２７のディレイ補正値算出部２５及びゲイン補正値算出部２６は、操作部２３からの信号を受信部２４を介して受け、実際に各スピーカから出力された音場情報に対応した画像表示手段１６に供給されるリファレンス画像信号と、実際に受聴位置で受聴した現状の音場情報に対応したリファレンス画像の修正情報とを比較することで、最適なディレイ補正値及びゲイン補正値を算出するものである。
【００２７】
制御部２７のディレイ補正値算出部２５及びゲイン補正値算出部２６は、算出したディレイ補正値及びゲイン補正値をオーディオ信号処理部１０に転送する。ディレイ補正値及びゲイン補正値を受けたオーディオ信号処理部１０は、図３に示すように、各ｃｈのスピーカごとのディレイ処理及びゲイン処理を行って、各スピーカにリファレンス信号又は再生信号を出力する。
【００２８】
メモリ２８は、図４に示すように、後述する第１乃至第３の区画ＢＡ，ＢＢ，ＢＣごとの各縦方向及び各横方向の調整量に対応したテーブル２８ａ，２８ｂ，２８ｃ，２８ｄ、・・を複数有しており、このテーブルにより、各区画、各方向の各調整量に対応した各ｃｈのスピーカに与えるディレイ値及びゲイン値が記憶されている。制御部２７のディレイ補正値算出部２５及びゲイン補正値算出部２６は、受信部２４で受信した画像の修正情報と、リファレンス画像信号とに基づいて、このメモリ２８内部のディレイ値及びゲイン値を読み出すことで修正情報に応じたディレイ値及びゲイン値を算出することができる。尚、ここでは、メモリ２８の複数のテーブルにディレイ値及びゲイン値が記憶され、ここから制御部２７が読み出すように構成したが、独立にディレイ値及びゲイン値を算出するように構成してもよい。
【００２９】
以上のように構成された音場補正装置１において、まず、音場補正前のリファレンス画像及びリファレンス音声が画像表示手段１６及び各スピーカ１１〜１５から再生され、画像表示手段１６にはリファレンス画像信号に対応した軌跡Ｋ１が描かれる。ここで、ユーザ８は音像の動きＫ２を体感して、理想とする音像の動きＫ１を実現するため、リファレンス画像の動きＫ１を見ながら操作部２３を操作し、軌跡Ｋ１が音像の動きＫ２に一致するようにを操作する。そして、操作部２３により入力された修正情報の信号は、受信部２４で受信され、この信号に基づいて、制御部２７のディレイ補正値算出部２５及びゲイン補正値算出部２６により算出されたディレイ補正値及びゲイン補正値を信号としてオーディオ信号処理部１０に送る。このように得られたディレイ補正値及びゲイン補正値を用いて、オーディオ信号処理部１０で処理されたリファレンス音声は、ユーザ８が理想とする音像の動きＫ１を実現する。尚、ここでは、リファレンス画像の出力、リファレンス音声の出力及び操作部２３での入力を１回で終了するように説明したが、さらに、得られたディレイ補正値及びゲイン補正値を用いて、リファレンス画像の出力、リファレンス音声の出力及び操作部２３での入力を行うように構成し、複数回の測定を繰り返すように構成してもよい。複数回の測定及び調整を繰り返すことで、さらに最適な音場補正を行うことが可能となる。
【００３０】
ここで、音場補正装置１により具体的な音場補正をするための操作部２３による画像修正の手順について、図５（ａ）〜図５（ｅ）を用いて説明する。
【００３１】
まず、音場調整が開始されると、まず出力モードで、画像表示手段１６には、リファレンス画像として例えば、図５（ａ）に示すように、移動物体１６ａが軌跡Ｋ１を描くように移動して表示され、同時に、各スピーカ１１〜１５からリファレンス音声が出力される。ここで、ユーザ８は、受聴位置でこのリファレンス音声を受聴することで軌跡Ｋ２に示す音像を体感する。すなわち、ユーザ８は、ここで、移動物体１６ａの軌跡Ｋ１と、リファレンス音声の音像の移動の軌跡Ｋ２とを確認する。
【００３２】
次に、設定モードでは、画像表示手段１６に静止画像として、図５（ｂ）に示すように、軌跡Ｋ１が表示される。
【００３３】
ここで、ユーザは、操作部２３により、図５（ｃ）に示すように、軌跡Ｋ１を実際に体感した音像の軌跡Ｋ２に合うように操作する。具体的には、表示画像は、数ブロック（ここでは３ブロック）に分割されて各区画（各ブロック）での設定が可能である。例えば、まずＬｃｈ用の画面右ブロック（第３の区画ＢＣ）を選択して、操作部２３のキー操作により画像の右側先端部分を下に調整量ＣＣ１だけ下げる。すなわち、第３の区画ＢＣの選択したリファレンス点Ｃ１がＣ２の位置にくるように調整量ＣＣ１だけ下げるよう操作部２３を操作する。尚、ここでは、表示画像を３ブロックに分けて第１乃至第３の区画ＢＡ，ＢＢ，ＢＣで調整するように構成したが、このブロック数すわなち区画の数はこれに限られるものではない。
【００３４】
次に、Ｃｃｈ用の画面中央のブロック（第２の区画ＢＢ）を選択して、図５（ｄ）に示すように、操作部２３のキー操作により画像の真ん中部分を上に調整量ＣＢ１だけ上げる。すなわち、第２の区画ＢＢの選択したリファレンス点Ｂ１がＢ２の位置にくるように調整量ＣＢ１だけ上げるよう操作部２３を操作する。
【００３５】
ここで、軌跡Ｋ１を修正した軌跡Ｋ１’が体感した音像の軌跡Ｋ２に合ったら設定終了ボタンを操作して設定モードを終了する。尚、軌跡Ｋ１の修正した軌跡Ｋ１’がまだ音像の軌跡Ｋ２に合っていない場合は、さらに、各ブロック（各区画ＢＡ，ＢＢ，ＢＣ）を調整することができる。
【００３６】
尚、ここでは、第２の区画ＢＢ及び第３の区画ＢＣのみ縦方向の調整のみで画像の軌跡Ｋ１を音像の軌跡Ｋ２に合わすことができたが、第２及び第３の区画ＢＢ，ＢＣの横方向の調整、並びに、第１の区画ＢＡの縦方向及び横方向の調整等を行うことにより軌跡を合わす場合もあるが、ここでは、詳細な説明は省略する。
【００３７】
操作部２３で操作された図５（ｅ）に示す調整量ＣＣ１及び調整量ＣＢ１は、上述の操作と同時に受信部２４に転送され、リファレンス画像信号供給部２２を介して上述のように画像表示手段１６に反映されるとともに、設定終了ボタンが操作されると、この修正情報である調整量ＣＣ１及び調整量ＣＢ１は、受信部２４を介して制御部２７のディレイ補正値算出部２５及びゲイン補正値算出部２６に転送される。ディレイ補正値算出部２５及びゲイン補正値算出部２６は、この修正情報と、最初にリファレンス画像信号供給部２２から画像表示手段１６に供給されたリファレンス画像信号とに基づいて、各スピーカに与えるディレイ補正値及びゲイン補正値を算出してオーディオ信号処理部１０に転送される。
【００３８】
ここで、図５（ｅ）に示す調整量ＣＣ１及び調整量ＣＢ１からディレイ処理及びゲイン調整を行う手順について、図２乃至図４を用いてさらに詳細に説明する。
【００３９】
図２に示すように、第３の区画ＢＣでリファレンス点をＣ１からＣ２に縦に移動した量より、あらかじめメモリ２８に記録されたテーブルからこの移動量に対応したディレイ値及びゲイン値を読み出す。メモリ２８内部には、上述した図４に示すように、移動量に対応するディレイ値及びゲイン値のテーブルを有しており、各移動量に対応したものがあらかじめ記憶されている。
【００４０】
同様に、第１の区画ＢＡ及び第２の区画ＢＢでリファレンス点を移動した量よりディレイ値及びゲイン値を読み出す。
【００４１】
第１乃至第３の区画ＢＡ，ＢＢ，ＢＣで求めた各ディレイ値及び各ゲイン値を合成して第１乃至第３の区画の縦方向の移動に対応する総合的なディレイ値及びゲイン値のテーブルが求まる。
【００４２】
第１乃至第３の区画の横方向の移動についても、上述した縦方向の移動と同様に、ディレイ値及びゲイン値並びに総合的なディレイ値及びゲイン値を算出する。メモリ２８内部には、上述した縦方向用のテーブルと同様に、横方向用のテーブルも用意されている。
【００４３】
縦方向及び横方向のテーブルを合成して真のディレイ補正値及びゲイン補正値を算出することができる。そして、このディレイ補正及びゲイン補正値をオーディオ信号処理部１０に転送し、この補正値を反映させる。
【００４４】
ディレイ補正値及びゲイン補正値を受けたオーディオ信号処理部１０は、例えば、図３に示すように、Ｒｃｈのスピーカから出力するよりもＣｃｈのスピーカから出力するのが少し速くなるように、且つ、Ｃｃｈのスピーカから出力するよりもＬｃｈのスピーカから出力するのが少し遅くなるように、ディレイ補正を行い、すなわち、直線的な音像の動きにうねりを付けるようにすることで、受聴位置での音像を最適なものにすることができる。尚、ここでは、Ｒｃｈ，Ｃｃｈ，Ｌｃｈのスピーカのディレイ処理及びゲイン処理について説明したが、ＳＲｃｈ，ＳＬｃｈのスピーカについても同様のディレイ処理及びゲイン処理を行うことが可能である。また、ここでは、音圧レベル、ディレイを補正するように構成したが、これに限られるものではなく、周波数特性、位相特性等についても同様に調整するように構成してもよい。
【００４５】
以上のように、音場補正装置１は、ユーザが個々の所望なリスニング位置で、リファレンスとなる映像と音声コンテンツを再生し、そのコンテンツのガイドに従い映像と音像の３次元的な位相を整合させることで、リスニング位置にて最適な音場を生成する。
【００４６】
また、音場補正装置１では、音の３次元位相回転を各次元ごとに制御可能とすることで、ユーザのリスニング体勢によらず最適な調整が可能となる。また、リファレンス映像並びに音声との連動を行うため、ユーザは音場処理効果を視覚的にも確認しながら調整することができる。
【００４７】
また、音場補正装置１は、画像の変化と、音像の定位（軌跡）を一致させることで、ユーザの位置及び体勢に応じて音像定位を変化させ、最適な音場補正を実現する。
【００４８】
また、音場補正装置１は、音場を測定するための測定用の専用マイク、この専用マイク用のマイク接続端子、マイクアンプ等を設けることなく、音場特性の調整を可能とする。
【００４９】
次に、上述した音場補正装置１による音場特性補正の手順について、図６を用いて説明する。
【００５０】
まず、操作部２３を携帯したユーザ８が実際に各スピーカ１１〜１５から再生された音声情報を受聴する位置である受聴位置（リスニングポイント）に待機する。ここで、音場補正装置１を作動して、音場補正を開始する（Ｓ１）。
【００５１】
音場補正装置１に設けられたスタートボタンが押されると、音場補正装置１のリファレンス音声信号供給部２１は、各スピーカ１１〜１５にリファレンス音声を出力させ、同時に、リファレンス画像信号供給部２２は、画像表示手段１６にリファレンス音声に対応したリファレンス画像を図５（ａ）に示すように出力させる（Ｓ２）。
【００５２】
次に、画像表示手段１６には、上述したリファレンス画像の軌跡が図５（ｂ）に示すように、静止画像として表示される（Ｓ３）。
【００５３】
ここで、ユーザは、実際の聞こえ、すなわち音像に合うように表示画像を操作部２３で操作する（Ｓ４）。具体的には、図５（ｃ）及び図５（ｄ）に示すように、表示画像の軌跡Ｋ１を、実際に受聴した音像の軌跡Ｋ２となるように調整するように操作部２３を操作する。
【００５４】
次に、制御部２７が上述した画像の修正量に合わせて各ｃｈのスピーカ１１〜１５に与えるディレイ補正値とゲイン補正値を調整する（Ｓ５）。
【００５５】
ここで、各ｃｈのスピーカ１１〜１５のディレイ補正値とゲイン補正値の調整する手順について、図７を用いてさらに詳細に説明する。
【００５６】
まず、設定区画を第１の区画ＢＡとしたときのリファレンス点の縦方向の移動量、すなわち調整量を受信部２４及び制御部２７を介してメモリ２８に転送する（Ｓ５−１）。次に、この移動量に対応するディレイ値及びゲイン値のテーブルを制御部２７が読み出す（Ｓ５−２）。そして、設定区画を第１の区画ＢＡから第２の区画ＢＢに変更して、Ｓ５−１に戻る（Ｓ５−３）。Ｓ５−１〜Ｓ５−３を繰り返すことで、各区画ＢＡ，ＢＢ，ＢＣのディレイ値及びゲイン値が決定される。
【００５７】
そして、各区画ＢＡ，ＢＢ，ＢＣで読み出したディレイ値及びゲイン値のテーブルを合成する（Ｓ５−４）。
【００５８】
次に、設定区画を第１の区画ＢＡとしたときのリファレンス点の横方向の移動量、すなわち調整量を受信部２４及び制御部２７を介してメモリ２８に転送する（Ｓ５−５）。次に、この移動量に対応するディレイ値及びゲイン値のテーブルを制御部２７が読み出す（Ｓ５−６）。そして、設定区画を第１の区画ＢＡから第２の区画ＢＢに変更して、Ｓ５−５に戻る（Ｓ５−７）。Ｓ５−５〜Ｓ５−７を繰り返すことで、各区画ＢＡ，ＢＢ，ＢＣのディレイ値及びゲイン値が決定される。
【００５９】
そして、各設定区画ＢＡ，ＢＢ，ＢＣで読み出したディレイ値及びゲイン値のテーブルを合成する（Ｓ５−８）。
【００６０】
次に、Ｓ５−４とＳ５−８とから縦方向と横方向とのディレイ値及びゲイン値のテーブルを合成する（Ｓ５−９）。
【００６１】
合成することで得られた総合的なディレイ補正値及びゲイン補正値をオーディオ信号処理部１０に転送し、オーディオ信号処理部１０にディレイ補正値及びゲイン補正値を反映する（Ｓ５−１０）。
【００６２】
以上のＳ５−１〜Ｓ５−１０に示すように、画像の修正量をあわせることにより各ｃｈのディレイ補正値とゲイン補正値を調整することができる。
【００６３】
そして、このディレイとゲイン量の補正を反映したリファレンス画像及びリファレンス音声を出力する（Ｓ６）。
【００６４】
ここで、ユーザは、修正後の実際の音像と表示画像とから再度測定・調整をして修正を行うか、測定モードを終了するかを判断して選択する（Ｓ７）。
【００６５】
このように、音場補正装置１は、音場補正して、すなわち、ディレイ補正値及びゲイン補正値を用いて再生信号を各スピーカに供給して、各スピーカから音声情報を出力させることを可能とする。
【００６６】
本発明を適用した音場補正装置１は、ユーザが音場処理効果を画像表示手段１６により視覚的にも確認しながら設定でき、専用のマイクロホン等収音器が不要になり、セット設計時に専用の収音器とセットの電気的な特性の合わせ込みが不要になる。
【００６７】
また、本発明を適用した音場補正装置１は、画像表示手段１６に表示された画像を見ながら簡易的に調整をすることが可能となる。また、本発明を適用した音場補正装置１は、画像を見ながら音声を聞くことでコントローラでゲーム感覚で音場補正を行うことができる。また、本発明を適用した音場補正装置１は、ユーザのリスニング体勢に拘わらずその場所で最良な調整が行え、画像に正対し得ない環境での聴取を行うことを可能とする。
【００６８】
よって、本発明を適用した音場補正装置１は、所望の音場を得るための測定用の専用マイク等を設けることなく、ユーザのリスニング体勢によらず最適な音場調整を可能とし、音場処理効果を視覚的に確認しながら調整することを可能とする。
【００６９】
また、本発明を適用した音場補正装置１は、自動では、ユーザの位置により一定の音場補正が行われていたのを、ユーザの位置、体勢に制約されることなく、任意で自由な音場補正を行うことが可能となる。
【図面の簡単な説明】
【００７０】
【図１】本発明を適用した音場補正装置の構成を示すブロック回路図である。
【図２】本発明を適用した音場補正装置の画像表示装置に表示されるリファレンス画像の軌跡及びリファレンス音声の音像の軌跡を示す図である。
【図３】本発明を適用した音場補正装置のオーディオ信号処理部によるディレイ処理及びゲイン処理の一例を示す図である。
【図４】本発明を適用した音場補正装置のメモリに記憶されるディレイ値及びゲイン値のテーブルを示す図である。
【図５】本発明を適用した音場補正装置の操作部により画像修正の手順を示す図であり、（ａ）は、リファレンス画像を示す図であり、（ｂ）は、リファレンス画像の軌跡を示す図であり、（ｃ）は、リファレンス画像の軌跡を音像に従い修正している状態を示すずであり、（ｄ）は、さらに、リファレンス画像の軌跡を修正している状態を示す図であり、（ｅ）、リファレンス画像の軌跡と音像の軌跡と画像修正量とを示す図である。
【図６】本発明を適用した音場補正装置による音場補正の手順について説明するためのフローチャートである。
【図７】図６に示す手順のうち、ディレイ補正値及びゲイン補正値を算出する手順についてさらに詳細に説明するためのフローチャートである。
【符号の説明】
【００７１】
１  音場補正装置、  ９  室内環境、  １０  オーディオ信号処理部、  １１〜１５  スピーカ、  １６  画像表示手段、  ２１  リファレンス音声信号供給部、  ２２  リファレンス画像信号供給部、  ２３  操作部、  ２４  受信部、  ２５  ディレイ補正値算出部、  ２６  ゲイン補正値算出部、  ２７  制御部、  ２８  メモリ  
【図１】
2007173984.tif 000003
【図２】
2007173984.tif 000004
【図３】
2007173984.tif 000005
【図４】
2007173984.tif 000006
【図５】
2007173984.tif 000007
【図６】
2007173984.tif 000008
【図７】
2007173984.tif 000009